(57)【要約】【課題】  従来骨接合具においては、一方向からスクリューを固定するので、固定は、皮下組織厚い場合は、固定は激しい運動はともかくとして、一応問題ないが、皮下組織が薄い場合に固定力は弱い面があり、又痛みもあった点を改良する。。【解決手段】  本発明は、上記課題を解決するために、骨折した部位において使用される骨折接合具において、ネジとプレートからなり、患部を挟んでプレートとネジとが対峙して、該双方の部材によって固定できるよう構成したもので、更には、ネジがプレートに対して、患部を挟んでより対応するように、ガイド部材を備えた骨接合具を提供する。【選択図】  図３
2010279597.tif 000002
【特許請求の範囲】
【請求項１】
骨折した部位において使用される骨折接合具において、ネジとプレートからなり、患部を挟んでプレートとネジとが対峙して、該双方の部材によって固定できるよう構成したことを特徴とする骨折接合具
【請求項２】
前記ネジがプレートに対して、患部を挟んで対応するように、ガイド部材を備えたことを特徴とする請求項１記載の骨接合具
【請求項３】
前記ネジがプレートに対して、患部を挟んで対応するように、ガイド部材を備え、該ガイド部材はネジが挿入される孔部とネジの挿入方向にも孔を設けてなることを特徴とする請求項２記載の骨接合具
【請求項４】
ネジとプレートからなり、患部を挟んでプレートとネジとが対峙して、該双方の部材によって固定できるように構成した骨折接合具において、該骨折接合部は、サポート部があり、挿入部と支持部を備え、該両部分間には、骨折した部位が挟まれるようにし、且つ該支持部にはプレートが備えられ、且つプレートに対峙する挿入部にはネジが挿入されて、プレートに対して進行して固定されるように構成されていることを特徴とする骨折接合部
【請求項５】
前記サポート部からは、患部に向かって、挿入される支持部が延出し、対応してサポート部（５）の先端には、ネジを挿入する挿入部（５０）が設けられ、且つサポート部には、グリップを有することを特徴とする請求項４記載の骨接合具。
【発明の詳細な説明】
【技術分野】
【０００１】
本発明は、骨折した部位において、該骨折での接合に使用される骨折接合具に関する。
【背景技術】
【０００２】
従来、骨折した場合に、図１に示されるように該骨折部を接合するプレート・スクリューシステムがある。
このシステムは、ネジであるスクリューを締める事で、プレート（３）を骨に押し付けることで、プレート下面と骨表面に生じる摩擦力で固定するものである。又、プレートホール部とスクリューヘッド下にネジ溝を有するもので、摩擦力に依存することなく、機械的に固定するものがある。
【０００３】
しかしながら、いずれの方式も、プレート方式では、プレート側からスクリューを挿入することで、プレートとスクリューを連結させ、骨を固定している点は共通である。
【０００４】
【特許文献１】特願平５−４２８８３号公報
【特許文献２】特開平６−６２６９６号公報
【特許文献３】特開平９−２５２６７６号公報
【発明の開示】
【発明が解決しようとする課題】
【０００５】
上記従来の骨折の接合具は、一方向からスクリューを固定するので、固定は、皮下組織厚い場合は、固定は激しい運動はともかくとして、一応問題ないが、皮下組織が薄い場合に固定力は弱い面がある。
【０００６】
特に、皮下から骨までの距離が短い部位にプレートを設置した場合に、プレートの厚みにより、皮膚及び皮下を圧迫し、疼痛や炎症、感染の原因となっているのが実情である。
【０００７】
本発明は、上記課題を解決するために、骨折部位において、接合に当たり、固定を十分にとれ、激しい運動に対しても固定力が得られる接合具を得ることを目的とする
【０００８】
又、たとえ、皮下組織が薄い部位でも、プレートが皮下を圧迫することなく、固定できる接合具を得ることにある。
【課題を解決するための手段】
【０００９】
本発明は、上記課題を解決するために、  骨折した部位において使用される骨折接合具において、ネジとプレートからなり、患部を挟んでプレートとネジとが対峙して、該双方の部材によって固定できるよう構成した骨折接合具を提供する。
【００１０】
前記ネジがプレートに対して、患部を挟んで対応するように、ガイド部材を備えたことを骨接合具を提供し、より正確な接合を可能とする。
【００１１】
前記ネジがプレートに対して、患部を挟んで対応するように、ガイド部材を備え、該ガイド部材はネジが挿入される孔部とネジの挿入方向にも孔を設けるものである。
【００１２】
ネジとプレートからなり、患部を挟んでプレートとネジとが対峙して、該双方の部材によって固定できるように構成した骨折接合具において、該骨折接合部は、サポート部があり、挿入部と支持部を備え、該両部分間には、骨折した部位が挟まれるようにし、且つ該支持部にはプレートが備えられ、且つプレートに対峙する挿入部にはネジが挿入されて、プレートに対して進行して固定されるように構成されている骨折接合部
を提供することで、より正確で迅速な手術を図ることができる。
【００１３】
前記サポート部からは、患部に向かって、挿入される支持部が延出し、対応してサポート部（５）の先端には、ネジを挿入する挿入部（５０）が設けられ、且つサポート部には、グリップを有する骨接合具を提供し、骨折部位に適切に対応できるようにする。
【発明の効果】
【００１４】
本発明の効果は、骨折部位において、接合に当たり、固定をしっかりと十分にとれ、激しい運動に対しても固定力が得られる接合具を得られることにある。
【００１５】
特に、大腿骨のような皮下組織が厚い部位では、筋肉、脂肪等がクッションの役目を果たし、痛みの原因とならない効果が得られる。
叉、手指、足指、鎖骨、脛骨等の皮下組織が薄い部位では、大腿骨のような皮下組織が厚い部位と比べ、筋肉、脂肪等がクッションの役割を果たさない為、フ゜レート等厚みのある異物が介在すると、皮膚を著しく圧迫する事になる。これにより、術後の疼痛や、炎症等につながる。プレートを反対側の皮下組織が比較的厚い部位に設置し、固定することで、術後のこういった合併症を防止することが出来ることになった。
【発明を実施するための最良の形態】
【００１６】
本発明の実施の形態を実施例に基づき、図面を参照して説明する。図２は、本発明の１実施例である骨接合具（１）を示し、本発明の基本原理を示す。
【００１７】
図２に示すように、骨接合具（１）は、平らなプレート（３）とネジであるスクリュー（２）との組み合わせからなり、骨折部位に対し、プレート（３）とスクリュー（２）が骨を挟むように配置される。スクリュー（２）が挿入される側には、副プレート（３１）が設けられる。このことで、スクリュー（２）が締め付ける時の基台となり、スクリュー（２）が挿入されるときに該副プレート（３１）でスクリュー（２）は停止される。
副プレート（３１）は、必ずしも設けられなくてもよいが、あれば一層固定が良好となるのが理解される。
【００１８】
スクリュー（２）は、プレート（３）の反対側から挿入され、副プレート（３１）の孔（３０２）を通って、プレート（３）の孔（３０）のネジ（３０１）により固定される。即ち、スクリュー（２）は、プレート（３）に対して、該ホール（３０）へ向けて回転されて到達する。
【００１９】
プレート（３）に、更には、ネジ（３０１）を切ってあるので、スクリュー（２）は、これで更にしっかりと固定できる。骨を両側から挟んで固定できるので、従来のものに比べて動じることが著しく減少できる。
【００２０】
このような接合具（１）は、骨折部位が薄い骨の接合であれば、容易に反対側から挿入することができるが、厚くなれば、方向を定められれば好ましいことになる。そこで、図２の（２）（３）に示すようにガイド（４）を使用することができる。
【００２１】
該ガイド部（４）は、スクリュー（２）の挿入する部位とプレート（３）の対応する部位に配置して置けば、容易にスクリュー（２）を挿入して固定することができる。即ち、ガイド部（４）は、コの字状になっており、その上下端には、プレート（３）と骨下端を挟むようなプレート（４１）（４２）が突き出している。その両者を挟むようにサポート部（４０）が設けられる。
プレート（４１）（４２）には、片方が開放された長細孔（４０２）（４０１）が設けられており、骨折部に差し込むことが可能である。又長細孔（４０１）の代わりに単なる円孔でもよい。この場合、より正確な位置決めが可能となる。
【００２２】
叉、ガイド部（４）は、その上端を円形部（４０３）としておけば、図２の（３）に示すように、挿入時に位置決めがより正確となる。
【００２３】
更に、プレート（３）に対して、その孔（３０）内側に嵌るように、ガイド部（４）に片（４００）を設けておけば、プレート（３）の孔（３０）に対して、嵌め込めるので位置決めは容易となるのが理解される。
【００２４】
図２の（４）に示すように、更には、孔（３０）に対し、プレート（３）のスクリュー（２）が挿入しやすいような円錐状（３００）とし、又、下方の副プレート（３１）には、ネジ（２）に対して、矢張り、メネジ（３０２）を設けておけば、更にしっかりとした固定が可能となるのが理解される。
【００２５】
図３は、挿入時に、更に、正確に固定しえるような構造が示される。挿入の順番は、図４に示されるように（１）〜（４）である。足の外反母趾の症例として示される。
【００２６】
図３に示されるものは、骨接合具（１）の手術具として使用されるものであって、足や手の断面を示している。ガイド部材としての好ましい機能を備える。
ガイド部材である、サポート部（５）には、挿入部（５０）があって、サポート部（５）からは、患部に向かって、挿入される支持部（５１）が延出している。叉、サポート部（５）の先端には、ネジを挿入する挿入部（５０）の孔（５０１）があって、支持部（５１）に向かって挿入孔（５０１）より、スクリュー・ネジを挿入することになる。
【００２７】
挿入部（５０）と支持部（５１）との関係は、スクリュウが挿入し得るように直角の関係となる事は容易に理解される。更に、重要な点は、挿入部（５０）の挿入孔（５０１）と
支持部（５１）に把持されるプレート（３）のネジの挿入されるネジ（３０１）を持つ孔（３０）とが対応して設けられる。その為に、支持部（５１）にプレート（３）は、規定通り載置されなければならない。
図３の（２）に示されるように、従って、プレート（３）は、載置部（５１０A）にしっかりと置かれる必要がある。押し付けられ、しっかりと置かれれば、その位置で、挿入孔（５０１）に対応して置かれるので、ネジが挿入されると、プレート（３）の孔（３０）へ入り込むことができる。
【００２８】
叉、サポート部（５）は、図３に示されるように、図の左方に伸びる、片方には延出するグリップ部（５３）があって、本接合具を把持して患部の好ましい位置へ移動させることが出来る。
患部が足のような場合には、グリップ部（５３）は、斜めに、例えば、略L字状に延出しておくと、足部に当たらずに済む。いずれにしても、グリップ（５３）があることで、手術時に、患部に対して、適切な位置に設置することができる。
【００２９】
更に詳しく説明すると、図３に示されるように、支持部（５１）は、プレート（３）を把持する支持板（５１０）を有しており、プレート（３）は、該プレート（３）を取り付けた支持部（５１）と共に、骨面に設置する。即ち、上方に設けられた挿入孔（５０９）から、挿入され、支持板（５１０）共に、又は支持板（５１０）に沿って、ねじによって押し込まれ、挿入され載置される。ねじは、調整摘み（５０８）を回動させて、該摘み（５０８）より延出する押出棒（５０６）によって、プレート（３）を押し込むのである。
【００３０】
即ち、プレート（３）は、予め支持板（５１０）に沿って載置された後、患部に向かって挿入されるのが好ましい。
調整摘み（５０８）は、プレート（３）を保持する保持筒（５０７）と共に、手術すべき部位に向かって、挿入し、その後プレート（３）を対応すべき位置まで、調整摘み（５０８）で挿入する。又、調整摘み（５０８）を押圧して、プレート（３）を押すことで、行われようにすることも可能である。
【００３１】
挿入部（５０）は、更に詳細には、患部に対抗して、挿入孔（５０１）（５０１）が開けられている。その孔から、外筒（スクリュー・スリーブ）（５０２）内に納められた内筒（５０３）を通して、ドリル（６）が挿入される。又、必要以上のドリル（６）が進まないように、ストッパ（６０１）の軸上の設けておけば、外筒（５０２）にぶつかり停止するので安全である。
【００３２】
ドリル（６）は、患部の骨を穿孔し、図４の（２）に示されるように、プレート（３）に至る。
その後、図３の（３）に示されるように、ネジが挿入されて固定される。
その場合、図４の（３）に示されるように、前記孔（５０１）内にスクリュー・ドライバー（７）が挿入されて、スクリュー（２）を押しつつ、そして回動させて、プレート（３）とスクリュー（２）が固定されることが、理解される。その後図４の（４）に示されるような状態となる。
【００３３】
挿入部（５０）は、更に詳細には、患部に対抗して、挿入孔（５０１）を複数が開けられですることも可能である。即ち、本実施例では、挿入部（５０）には、挿入孔（５０１）を２箇所設けたものが示されるが、これは１ヶ所、叉は複数個所でも可であることは勿論である。
【００３４】
又、プレート（３）と支持部（５１）との関係では、種々の変形例が考えられる。
図５の（１）に示されるように、支持部（５１）の端部にプレート（３の端部が嵌合又は挟持されるようにも構成できる。
又、図５の（２）に示されるように、支持部（５１）の手術部位に対応して、支持部（５１）の支持板（５１０）内の皿状の部分の凹部へ嵌合させて支持させることも可能である。
【００３５】
又、図６の（１）に示されるように、支持部（５１）の支持板（５１０）より延出した、プレート（３）を嵌め込むようにした載置部（５１０Ａ）を両側に設け、嵌め込むことも可能である。
【００３６】
更に、図６の（２）に示されるように、更に、上記例では、サポート部（５）のグリップ部（５３）が左方に伸びていたが、図６の（２）に示されるように、該グリップ部（５３）をなくして構成することも可能である。この場合は、コンパクト化が図られる。
【００３７】
図７の（１）に示されるように、グリップ部（５３）を上方へ延出する構成も考えられる。
この場合は、患部に対して直上から行うことが便利であるときに採用されよう。
【００３８】
図７の（２）に示されるように、グリップ部（５３）は、先例とは逆に患部の部位に応じて図の右方向へも設けることが可能であり、要は、患部に対応して設けることができる。
【００３９】
図３に示されるものは、従来は、足の外反母趾の症例では、外側でプレートを介して、スクリュウで固定していたものである。
ところが、この場合は、外側から固定するために、靴を履いた場合に刺激されて痛み等が生じていたものである。また、固定する場合には、スクリュウが固定する対象がない場合に確りとした固定が困難であった。  
【００４０】
本実施例では、従来の反対側から、プレート（３）に対して、スクリュウ（２）で固定する為に、プレート（３）と皮膚の接触、干渉がないので痛みの原因とならないのである。
【００４１】
特に、大腿骨のような皮下組織が厚い部位では、筋肉、脂肪等がクッションの役目を果たし、痛みの原因とならない。
叉、特に、手指、足指、鎖骨、脛骨等の皮下組織が薄い部位では、大腿骨のような皮下組織が厚い部位と比べ、筋肉、脂肪等がクッションの役割を果たさない為、フ゜レート等厚みのある異物が介在すると、皮膚を著しく圧迫する事になる。これにより、術後の疼痛や、炎症等につながる。プレートを反対側の皮下組織が比較的厚い部位に設置し、固定することで、術後のこういった合併症を防止することが出来る。
この手術には、前記器具によって、初めて可能となるものである。
【００４２】
以上実施例をもって説明してきたが、これら実施例に限定されることなく、特に、種々の患部に対しても、本発明の技術思想の範囲内で、当業者によって、種々に変形することが可能であることは勿論である。
【図面の簡単な説明】
【００４３】
【図１】従来の骨接合具の一実施例を示す。
【図２】本発明の骨接合具の患部に対して実施される断面図を示す。
【図３】本発明の骨接合具の他の実施例を示す。
【図４】本発明の骨接合具の上記実施例において、骨接合の取付け順序を示す。
【図５】本発明の骨接合具の支持部とプレートとの関係を示す他の実施例を示す
【図６】本発明の骨接合具の他の実施例を示す
【図７】本発明の骨接合具の、グリップ部の位置を示す他の実施例を示す
【符号の説明】
【００４４】
１      骨接合具
２      スクリュー（ネジ）
３      プレート
５      サホ゜―ト部      
５１    支持部
５１０  支持板
【図１】
2010279597.tif 000003
【図２】
2010279597.tif 000004
【図３】
2010279597.tif 000005
【図４】
2010279597.tif 000006
【図５】
2010279597.tif 000007
【図６】
2010279597.tif 000008
【図７】
2010279597.tif 000009